【事件の表示】
　特許第３０３７３３６号「カラー複写機」の請求項１、２に係る特許に対する特許異議の申立てについて、次のとおり決定する。
【結　論】
　訂正を認める。
　特許第３０３７３３６号の請求項１ないし２に係る特許を維持する。
【理　由】
１．手続きの経緯
　本件特許第３０３７３３６号発明は、昭和６３年３月２２日に特許出願され、平成１２年２月２５日にその特許の設定登録がなされ、その後、西川浩一より請求項１乃至２に係る発明について特許異議の申立てがなされ、取消理由通知がなされ、その指定期間内である平成１３年７月２６日に訂正請求がなされたものである。
　
２．訂正の適否についての判断
（１）訂正の要旨
　１）訂正事項ａ
　本件特許明細書の特許請求の範囲を次のように訂正する。
「【請求項１】カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、前記カラー画像形成部の特性に左右されずに、規格化された３原色成分で規定される特定の色空間を用いて表現されるカラー画像信号に変換するために共通に用いられる色変換手段と、前記色変換手段によって変換された、規格化された３原色成分で規定される特定の色空間を用いて表現されるカラー画像信号を前記カラー画像形成部の特性に応じた色処理を行い、濃度データを前記カラー画像形成部に出力する色処理手段とを有することを特徴とするカラー複写機。
　【請求項２】前記規格化された３原色成分で定義される空間はＮＴＳＣ色空間であることを特徴とする請求項１に記載のカラー複写機。」
　２）訂正事項ｂ
　本件明細書の発明の詳細な説明の欄の［課題を解決するための手段］の項の「上記目的を達成するために本発明の・・・カラー複写機を備える。」（本件特許公報４欄３２行〜５欄８行）を次のように訂正する。
　「上記目的を達成するために本発明のカラー複写機は、以下のような構成を有する。即ち、カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、前記カラー画像形成部の特性に左右されずに、規格化された３原色成分で規定される特定の色空間を用いて表現されるカラー画像信号に変換するために共通に用いられる色変換手段と、前記色変換手段によって変換された、規格化された３原色成分で規定される特定の色空間を用いて表現されるカラー画像信号を前記カラー画像形成部の特性に応じた色処理を行い、濃度データを前記カラー画像形成部に出力する色処理手段とを有することを特徴とするカラー複写機を備える。」
　
（２）訂正の目的、新規事項の有無、拡張変更の存否の各要件についての判断
　１）訂正事項ａについて
　本訂正は、請求項１中の「入力手段によって入力されるカラー画像信号を、規格化された３原色成分で表現されるカラー画像信号に変換するために共通に用いられる色変換手段と、前記色変換手段によって変換されたカラー画像信号に対して」を、願書に添付した明細書又は図面に記載した事項（特に、発明の詳細な説明の欄の（８）式〜（１１）式に係る記載及び発明の効果に係る記載（本件特許公報８欄２１〜２９行及び同１１欄２〜８行）等参照）の範囲内でより明瞭にするものであり、明りょうでない記載の釈明を目的とし、新規事項の追加に該当せず、実質上特許請求の範囲を拡張し又は変更するものでもない。
　２）訂正事項ｂについて
　本訂正は、上記訂正事項ａにより訂正された特許請求の範囲に発明の詳細な説明の記載を整合させるための訂正であり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める
　
３．異議申立てについての判断
（１）本件請求項１乃至２に係る発明
　本件請求項１乃至２に係る発明は、訂正明細書及び図面の記載からみて、訂正明細書の特許請求の範囲の請求項１乃至２に記載されたとおりのものである（前記２．（１）訂正の要旨の訂正事項ａ参照。以下、請求項１，２に係る発明を、それぞれ、「本件発明１」、「本件発明２」という）。
　
（２）異議申立ての理由と証拠
　これに対し、異議申立人は、請求項１，２に係る発明の特許について、特許法第２９条第１項第３号に規定する発明に該当する発明に対してなされたもの、あるいは、特許法第２９条第２項の規定に違反してなされたものであるとし、証拠として甲第１乃至２号証を提出している。
　甲第１乃至２号証とそれらの記載事項は次のとおりである。
　１）甲第１号証：特開昭５９−１７１２７６号公報
　ａ．「すなわち、入力装置が異なると色分解フィルターの分光特性、撮影照明光源条件、受光素子分光特性が各々別々で規格化されていないため同一原稿でも色あいの異なった印刷物が出力されてしまう。しかし最近では前述した種々の入力装置から入力される画像データを同一の画像形成装置で再現する要望がある。」（１頁右下欄７〜１３行）
　ｂ．「１０４は階調修正第１回路で主にカラーテレビカメラ１０１のガンマ特性の補正を行なう。例えばＮＴＳＣカメラではγ１＝０．４５となっているため１０４ではγ２＝２．２とし、総合でγ１・γ２＝１となる様に調整する。」（２頁右上欄２〜６行）
　ｃ．「１０８はパターンジェネレー夕１０９（例えばディザマトリックスが格納されている。）及びプリンタ１１０の印刷特性に従って各色信号Ｙ，Ｍ，Ｃを修正する階調修正第２回路で、主に階調修正を行う。」（２頁左下欄４〜８行）
　ｄ．「入力装置１０１（入力装置から入力される画像データの分光特性）が変っても変換マトリックス回路１０２のみを調整すれば、補色変換器１０３以降プリンタに到るまでの設定パラメータを変えずに最良のカラー再生画像を得ることができる。即ち本実施例では、入力装置間の分光特性の相違を変換マトリックス回路１０２で補正するため補色変換器１０３以降の各種回路のパラメータには入力装置が変わったことによる影響が及ばないものである。」（２頁左下欄１０〜１９行）
　ｅ．「第２図（Ａ）は分光特性を（Ｒ，Ｇ，Ｂ）系から（ｒ，ｇ，ｂ）系に変換するマトリックスである。第２図（Ｂ）の２０１は第２図（Ａ）で示した変換を実現するための変換テーブルメモリで、例えばＲＯＭ（リード・オンリ・メモリ）又はＰＲＯＭ等で構成され第２図（Ａ）の計算結果を入れたものを使用する。」（２頁右下欄７〜１３行）
　ｆ．「尚、変換マトリックス回路１０２には変換テーブルメモリ２０１又は第２図（Ｃ）に示した如き構成の回路が含まれていれば良い。」（３頁左上欄５〜７行）
　ｇ．「図において１０１はカラーテレビカメラ、４０２はマグネティックテープＭＴ、４０３はカラースキャナー、４０４は入力装置切替用スイッチ、４０５は前述した変換マトリックス回路１０２を含む入力補正装置、４０６は入力に応じ補正テーブル（第２図（Ａ）で示した如きマトリックス）を切替えるためのテーブル設定器、４０７は処理回路で第１図の１０３〜１０９を含むものである。１１０はカラープリンタである。入力装置切替用スイッチ４０４によって入力装置１０１、４０２、４０３は適宜選択される。そして選択された入力装置に応じて入力補正装置４０５内の補正テーブルをテーブル設定器４０６によって切替える。これは前述した様に、各入力装置１０１、４０２、４０３は色分解フィルター、受光素子等の分光特性（各入力装置から入力される画像データの特性）がまちまちであるため、入力装置に応じた変換を行なう必要があるからである。入力補正装置で変換された各色別信号ｒ，ｇ，ｂは前述した様に処理回路４０７で処理された後プリンタ１１０により記録画像として出力される。」（３頁左上欄１０行〜右上欄９行）
等が図面と共に記載されており、第３図において、カラーテレビカメラ１０１からＲ１，Ｇ１，Ｂ１、マグネティックテープＭＴ４０２からＲ２，Ｇ２，Ｂ２、カラースキャナー４０３からＲ３，Ｇ３，Ｂ３のそれぞれの色空間によって表現され３原色成分からなるカラー画像信号が生成されて入力装置切替用スイッチ４０４を介して入力補正装置４０５に入力されることが示されている。
　これらの記載を対比のためにまとめると、甲第１号証には、カラー画像を走査し、Ｒ３，Ｇ３，Ｂ３の色空間によって表現され３原色成分からなるカラー画像信号を生成するカラースキャナー４０３と、記録媒体上にカラー画像を形成するプリンタ１１０とを有する画像形成装置において、カラーテレビカメラ１０１又はマグネティックテープＭＴ４０２からＲ１，Ｇ１，Ｂ１又はＲ２，Ｇ２，Ｂ２の色空間によって表現されるカラー画像信号を入力する入力手段と、前記Ｒ３，Ｇ３，Ｂ３の色空間によって表現される３原色成分からなるカラー画像信号に対応する補正テーブルと、前記Ｒ１，Ｇ１，Ｂ１又はＲ２，Ｇ２，Ｂ２の色空間によって表現されるカラー画像信号に対応する補正テーブルとを格納する入力補正装置４０５と、前記Ｒ３，Ｇ３，Ｂ３の色空間によって表現される３原色成分からなるカラー画像信号に基づきカラー画像を形成するか、前記Ｒ１，Ｇ１，Ｂ１又はＲ２，Ｇ２，Ｂ２の色空間によって表現されるカラー画像信号に基づきカラー画像を形成するかに応じて、前記入力補正装置４０５に格納された前記補正テーブルのいずれかを選択するテーブル設定器４０６と、前記テーブル設定器４０６によって選択された前記補正テーブルのいずれかを適用して、前記カラースキャナー４０３によって生成されるカラー画像信号、或は、前記入力手段によって入力されるカラー画像信号を、ｒ，ｇ，ｂのカラー画像信号に変換するために共通に用いられる変換マトリックス回路１０２と、前記変換マトリックス回路１０２によって変換された、ｒ，ｇ，ｂのカラー画像信号を前記プリンタ１１０の特性に応じた色処理を行い、濃度データを前記プリンタ１１０に出力する処理回路４０７とを有することを特徴とする画像形成装置が記載されている。
　
　２）甲第２号証：特開昭６２−１５４９７０号公報
　ａ．「第１のカラー記録装置のために生成された第１の画像データを、第２のカラー記録装置に適した第２の画像データに色修正するための変換テーブルを備えたことを特徴とするカラー画像処理装置。」（特許請求の範囲１項）
　ｂ．「第１図は本発明の一実施例のブロック図である。図において、３０１はカラーワークステーション等のホストコンピュータ側からくるＲ，Ｇ，Ｂ３色信号系入力端である。３０２は印刷用レイアウトスキャナ等からくるＹＭＣＫ４色信号系入力端である。３０３は３色系入力に対する補色変換を含む階調変換テーブル部分である。・・・３０４は印刷のための色処理データＹ０，Ｍ０，Ｃ０，Ｋ０から元の原稿の３色色分解データｙ２，ｍ２，ｃ２に変換するテーブルである。・・・３０５はセレクタ回路で入力信号が３色系信号からのｙ１，ｍ１，ｃ１か４色系信号からのｙ２，ｍ２，ｃ２によりそれ以降のデータラインにｙ３，ｍ３，ｃ３を出力させるものである。３０６は校正機の記録材の特性にあわせ色修正を行わせる部分である。・・・３０７は校正機の黒用記録材の量を決定する部分・・・３０８は下色除去部で基本的考えとしてはｙ，ｍ，ｃ３色重なったところはＫ（黒）に置き換え、ｙ，ｍ，ｃは印刷しないようにするところである。・・・３０９はデジタルカラープリンタのためのドット展開部分である。デジタルカラープリンタは基本的にはドットを打つか打たないかの２値制御しかできないため、明度情報を持つ色信号成分は２次元的ドットの集合によって、人間の目の視覚に適合した平均的明度情報を生成させる必要が生じる。これが３０９部分である。３１０はこのようにして明度情報を持った４色色データが２次元のドットパターンに展開され出力されるところである。これらのドットパターンデータはまとめられデジタルカラープリンター部に提供され、印刷される。このように、入力が３色系画像データであっても、４色系画像データであっても、変換テーブル３０４を加えることにより、セレクタ回路３０５の出力以降の処理は全く同じになり、共通化することができる。」（２頁左下欄１６行〜３頁右上欄１１行）
等が図面と共に記載されている。
　
（３）対比・判断
　１）本件発明１について
　本件発明１と甲第１号証に記載された発明とを対比するに、甲第１号証記載の発明の、「Ｒ３，Ｇ３，Ｂ３の色空間」、「カラースキャナー４０３」、「プリンタ１１０」、「画像形成装置」、「カラーテレビカメラ１０１又はマグネティックテープＭＴ４０２」、「Ｒ１，Ｇ１，Ｂ１又はＲ２，Ｇ２，Ｂ２の色空間」、「Ｒ３，Ｇ３，Ｂ３の色空間によって表現される３原色成分からなるカラー画像信号に対応する補正テーブル」、「Ｒ１，Ｇ１，Ｂ１又はＲ２，Ｇ２，Ｂ２の色空間によって表現されるカラー画像信号に対応する補正テーブル」、「入力補正装置４０５」、「テーブル設定器４０６」、「変換マトリックス回路１０２」及び「処理回路４０７」は、それぞれ、本件発明１の、「第１の色空間」、「スキャナ部」、「カラー画像形成部」、「カラー複写機」、「外部装置」、「第２の色空間」、「第１の色変換データ」、「第２の色変換データ」、「格納手段」、「選択手段」、「色変換手段」及び「色処理手段」に対応し、甲第１号証記載の発明の「ｒ、ｇ、ｂの画像信号」は「変換により要求されるカラー画像信号」といえる点で本件発明１の「カラー画像形成部の特性に左右されずに、規格化された３原色成分で規定される特定の色空間を用いて表現されるカラー画像信号」と共通するから、両者は、“カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、変換により要求されるカラー画像信号に変換するために共通に用いられる色変換手段と、前記色変換手段によって変換された、変換により要求されるカラー画像信号を前記カラー画像形成部の特性に応じた色処理を行い、濃度データを前記カラー画像形成部に出力する色処理手段とを有することを特徴とするカラー複写機”である点で一致し、次の点で相違する。
　＜相違点＞変換により要求されるカラー画像信号について、本件発明１が、カラー画像形成部の特性に左右されずに、規格化された３原色成分で規定される特定の色空間を用いて表現されるカラー画像信号であるのに対して、甲第１号証記載の発明はｒ，ｇ，ｂのカラー画像信号である点。
　相違点について検討するに、本件発明１における色変換手段は、生成あるいは入力されるカラー画像信号を、カラー画像形成部の特性に左右されずに、規格化された３原色成分で規定される特定の色空間を用いて表現されるカラー画像信号に変換し、これにより、本件発明１は、本件明細書の発明の効果の欄に記載するように、複写機を構成するスキャナ部がカラー画像形成部の色特性を考慮したり、あるいは、カラー画像形成部がスキャナ部の色特性を考慮しなくても良いため、色変換手段と色処理手段に対する設定に関して互いに独立に設計できるものであり、すなわち、色変換手段で適用される色変換データはカラー画像形成部の色特性を考慮せずに決定されているものである。
　これに対して、甲第１号証には、入力装置１０１（入力装置から入力される画像データの分光特性）が変っても変換マトリックス回路１０２のみを調整すれば、補色変換器１０３以降プリンタに到るまでの設定パラメータを変えずに最良のカラー再生画像を得ることができる旨の記載（記載事項ｄ）があるが、さらに、最近では前述した種々の入力装置から入力される画像データを同一の画像形成装置で再現する要望がある旨の記載（記載事項ａ）を勘案すると、プリンタの特性が変わらないことを前提としているものであり、プリンタの特性に対応した（ｒ，ｇ，ｂ）系の色空間のカラー画像信号に変換しているものである。
　そして、少なくとも、その色変換データである変換マトリックスがカラー画像形成部であるプリンタの色特性を考慮せずに決定されていることを示唆するものではない。
　また、甲第２号証の記載をみても、その変換テーブルが当然に有する色変換データがカラー画像形成部の色特性を考慮せずに決定されることについては、記載も示唆もされていない。
　そして、本件発明１は、上記相違点に係る構成により上記効果を奏するものであるから、甲第１，２号証記載の発明と同一であるとも、甲第１，２号証記載の発明に基づいて当業者が容易に発明をすることができたものであるとも認められない。
　
　２）本件発明２について
　本件発明２は、本件発明１に係る構成要件の全てを構成要件の一部とするから、上記本件発明１についての検討・判断と同様の理由により、甲第１，２号証記載の発明と同一であるとも、甲第１，２号証に記載の発明に基づいて当業者が容易に発明をすることができたものとも認められない。
　
４．むすび
　以上のとおりであるから、特許異議の申立ての理由によっては本件発明１乃至２についての特許を取り消すことはできない。
　また、他に本件発明１乃至２についての特許を取り消すべき理由を発見しない。
　したがって、本件発明１乃至２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年８月１３日（２００１．８．１３）
【訂正の要旨】
　訂正の要旨
　１）訂正事項ａ
　本件特許明細書の特許請求の範囲を次に訂正する。
「【請求項１】カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、前記カラー画像形成部の特性に左右されずに、規格化された３原色成分で規定される特定の色空間を用いて表現されるカラー画像信号に変換するために共通に用いられる色変換手段と、前記色変換手段によって変換された、規格化された３原色成分で規定される特定の色空間を用いて表現されるカラー画像信号を前記カラー画像形成部の特性に応じた色処理を行い、濃度データを前記カラー画像形成部に出力する色処理手段とを有することを特徴とするカラー複写機。
　【請求項２】前記規格化された３原色成分で定義される空間はＮＴＳＣ色空間であることを特徴とする請求項１に記載のカラー複写機。」
　２）訂正事項ｂ
　本件明細書の発明の詳細な説明の欄の［課題を解決するための手段］の項の「上記目的を達成するために本発明の・・・カラー複写機を備える。」（本件特許公報４欄３２行〜５欄８行）を次に訂正する。
　「上記目的を達成するために本発明のカラー複写機は、以下のような構成を有する。即ち、カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、前記カラー画像形成部の特性に左右されずに、規格化された３原色成分で規定される特定の色空間を用いて表現されるカラー画像信号に変換するために共通に用いられる色変換手段と、前記色変換手段によって変換された、規格化された３原色成分で規定される特定の色空間を用いて表現されるカラー画像信号を前記カラー画像形成部の特性に応じた色処理を行い、濃度データを前記カラー画像形成部に出力する色処理手段とを有することを特徴とするカラー複写機を備える。」
（５４）【発明の名称】
カラー複写機
（５７）【特許請求の範囲】
　【請求項１】　カラー画像を走査し、第１の色空間によって表現され３原色成分からなるカラー画像信号を生成するスキャナ部と、記録媒体上にカラー画像を形成するカラー画像形成部とを有するカラー複写機において、
　外部装置から第２の色空間によって表現されるカラー画像信号を入力する入力手段と、
　前記第１の色空間によって表現される３原色成分からなるカラー画像信号に対応する第１の色変換データと、前記第２の色空間によって表現されるカラー画像信号に対応する第２の色変換データとを格納する格納手段と、
　前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、
　前記選択手段によって選択された前記第１或は第２の色変換データを適用して、前記スキャナ部によって生成されるカラー画像信号、或は、前記入力手段によって入力されるカラー画像信号を、
前記カラー画像形成部の特性に左右されずに、
規定される特定の色空間を用いて
　前記色変換手段によって変換された
、規格化された３原色成分で規定される特定の色空間を用いて表現される
を
　【請求項２】　前記規格化された３原色成分で定義される空間はＮＴＳＣ色空間であることを特徴とする請求項１に記載のカラー複写機。
【発明の詳細な説明】
［産業上の利用分野］
　本発明はカラー複写機に関し、特に、外部装置からカラー画像信号を入力することができるカラー複写機に関する。
［従来の技術］
　従来、この種の装置では画像入力手段（例えばＣＣＤセンサ）と画像出力手段（例えばレーザビームプリンタ）とが固定されており、この間の一定（固定）の信号処理により原画像の正しい色を再生していた。
　第２図は従来のカラー画像処理装置のブロック構成図である。
　図において、２０１はＣＣＤラインセンサであり、カラー原稿（不図示）からの反射光をＲ，Ｇ，Ｂ３原色に色分解して読み取る。２０２はＡ／Ｄ変換器であり、アナログｒ，ｇ，ｂ信号をデジタルＲ，Ｇ，Ｂデータに変換する。２０３は対数変換回路であり、輝度のＲ，Ｇ，Ｂデータを濃度のＣ１，Ｍ１，Ｙ１データに変換する。２０４はマスキング回路であり、前記のＣ１，Ｍ１，Ｙ１データに対して色補正（マスキング）処理を行う。
　マスキング処理は例えば（１）式の線型変換により行う。
　ここで、ａｉｊ：マスキング係数
　２０５は黒成分抽出回路であり、色補正したＣ２，Ｍ２，Ｙ２データの内の最小値（無彩色成分）ｋ１を検出してＣ２，Ｍ２，Ｙ２，ｋ１データを出力する。２０６は下色除去（ＵＣＲ）回路であり、Ｃ２，Ｍ２，Ｙ２データから（２）式に従って黒成分を除去する。
　Ｃ３＝Ｃ２−ｋＣＫ１
　Ｍ３＝Ｍ２−ｋＭＫ１
　Ｙ３＝Ｙ２−ｋＹＫ１
　Ｋ２＝ｋＫｋ１　　　　　　　　　　　　（２）
　ここで、
　ｋＣ，ｋＭ，ｋＹ，ｋＫ：ＵＣＲ係数
　尚、ＵＣＲ係数は０〜１の間の値を取り、ＵＣＲ係数＝１の時は「フルブラック」又は「１００％ＵＣＲ」等と呼ばれる。２０７はガンマ（γ）オフセット回路であり、下色除去したＣ３，Ｍ３，Ｙ３，Ｋ２データに対して（３）式のガンマ・オフセツト演算を行い、プリンタ特性（トナー，インク等）に合わせる。
　Ｃ４＝αＣ（Ｃ３−βＣ）
　Ｍ４＝αＭ（Ｍ３−βＭ）
　Ｙ４＝αＹ（Ｙ３−βＹ）
　Ｋ３＝αＫ（Ｋ２−βＫ）　　　　　　　　　　（３）
　ここで、αＣ〜αＫ：ガンマ係数
　βＣ〜βＫ：オフセット値
　２０８は例えばレーザビームプリンタであり、ガンマ・オフセットしたＣ４，Ｍ４，Ｙ４，Ｋ３データに従つて原画像の正しい色を再生、記録する。
［発明が解決しようとする課題］
　ところで、今日のカラー信号源は多種、多様である。例えばＮＴＳＣ方式のテレビ画像信号Ｙ，Ｉ，Ｑやコンピユータグラフイツクスによるカラー画像信号等がある。しかし、従来の構成では専用の信号源（ＣＣＤ等）以外のテレビ画像信号Ｙ，Ｉ，Ｑやコンピユータグラフイツクスによるカラー画像信号等を入力できないばかりか、正しい色で再生できない。
　本発明は上記従来例に鑑みてなされたもので、簡単な構成でスキャナ部だけでなく外部装置からのカラー画像を高品質に色再現することができるカラー複写機を提供することを目的とする。
［課題を解決するための手段］
　上記目的を達成するために本発明のカラー複写機は、以下のような構成を有する。
　即ち、カラー画像を走査し、第１の色空間によって表現され３原色成分からなるカラー画像信号を生成するスキャナ部と、記録媒体上にカラー画像を形成するカラー画像形成部とを有するカラー複写機において、外部装置から第２の色空間によって表現されるカラー画像信号を入力する入力手段と、前記第１の色空間によって表現される３原色成分からなるカラー画像信号に対応する第１の色変換データと、前記第２の色空間によって表現されるカラー画像信号に対応する第２の色変換データとを格納する格納手段と、前記第１の色空間によって表現される３原色成分からなるカラー画像信号に基づきカラー画像を形成するか、前記第２の色空間によって表現されるカラー画像信号に基づきカラー画像を形成するかに応じて、前記格納手段に格納された前記第１或は第２の色変換データを選択する選択手段と、前記選択手段によって選択された前記第１或は第２の色変換データを適用して、前記スキャナ部によって生成されるカラー画像信号、或は、前記入力手段によって入力されるカラー画像信号を、
前記カラー画像形成部の特性に左右されずに、
規定される特定の色空間を用いて
、規格化された３原色成分で規定される特定の色空間を用いて表現される
を
［作用］
　以上の構成により本発明は、第１の色空間によって表現される３原色成分からなるカラー画像信号に基づきカラー画像を形成するか、或は、第２の色空間によって表現されるカラー画像信号に基づきカラー画像を形成するかに応じて、これらのカラー画像信号各々に対応する第１の色変換データ、或は、第２の色変換データを適用して、スキャナ部によって生成されるカラー画像信号、或は、入力手段によって入力されるカラー画像信号を、共通の色変換手段を用いて規格化された３原色成分で表現されるカラー画像信号に変換し、その変換されたカラー画像信号に対してカラー画像形成部の特性に応じた色処理を行い、濃度データをそのカラー画像形成部に出力するよう動作する。
［実施例の説明］
　以下、添付図面に従つて本発明による実施例を詳細に説明する。
　第１図は本発明による実施例のカラー画像処理装置のブロツク構成図である。図において、１１６はリーダ部であり、本実施例装置の専属のカラー画像信号源である。リーダ部１１６において、１０１は光源であり、不図示の原稿台に載置したカラー原稿１０２を照明する。１０３はＣＣＤラインセンサであり、カラー原稿１０２からの反射光をＲ，Ｇ　Ｂの３原色に色分解して読み取る。１０４はサンプルホールド回路であり、ＣＣＤ出力のアナログｒ，ｇ，ｂ信号をサンプリングしてホールドする。１０５−１〜１０５−３はＡ／Ｄ変換器であり、アナログｒ，ｇ　ｂ信号をデジタルＲ１，Ｇ１，Ｂ１データに変換する。
　１０６−１〜１０６−３はデータセレクタであり、後段の画像データ処理部１０７〜１１５に対して各種のカラー画像データの入力を可能にする。即ち、データセレクタ１０６−１〜１０６−３の各接点がＡ側にある時はリーダ部１１６からのＲ１，Ｇ１，Ｂ１データを入力し、接点がＢ側にある時は接続機器１１７からコネクタ１２２を介して各種のカラー画像データを入力する。この接続機器１１７は、例えば１画像分のフレームメモリ１１８を備えており、これに接続するＶＴＲ１１９又はＴＶカメラ１２０からのＹ，Ｉ，Ｑ信号をＹ，Ｉ，Ｑデータに変換して記憶し、あるいはグラフイツクコンピユータ１２１からのカラー画像データを記憶する。
　１０８は色変換回路であり、入力した各種のカラー画像データ（ＲＧＢ，ＹＩＱ等）を後段の一定（固定）の処理回路１１１〜１１４に整合するよう変換する。
　ここで、入力する各種のカラー画像データについて考える。
　まずリーダ部１１６において、一般に、ＣＣＤセンサ１０３で任意のカラー原稿ｉを読み取つた時のｒｉ，ｇｉ，ｂｉ信号は（４）式で与えられる。
　ｒｉ
　＝∫ＤＲ（λ）・Ｓ（λ）・Ｒ（λ）ｄλ
　ｇｉ
　＝∫ＤＧ（λ）・Ｓ（λ）・Ｒ（λ）ｄλ
　ｂｉ
　＝∫ＤＢ（λ）・Ｓ（λ）・Ｒ（λ）ｄλ　　　　　　　（４）
　ここで、Ｓ（λ）：光源の分光エネルギー
　Ｒ（λ）：原稿画像ｉの分光反射率
　ＤＲ（λ），ＤＧ（λ），ＤＢ（λ）：ＲＧＢ色分解フィルタを塗布したＣＣＤセンサの分光感度
　第３図（Ｂ）はＣＣＤセンサの分光感度特性ＤＲ（λ），ＤＧ（λ），ＤＢ（λ）の一例を示している。
　一方、このＣＣＤセンサ１０３で標準白色原稿ｗを読み取った時のｒｗ，ｇｗ，ｂｗ信号は（５）式で与えられる。
　ｒｗ
　＝∫ＤＲ（λ）・Ｓ（λ）・Ｗ（λ）ｄλ
　ｇｗ
　＝∫ＤＧ（λ）・Ｓ（λ）・Ｗ（λ）ｄλ
　ｂｗ
　＝∫ＤＢ（λ）・Ｓ（λ）・Ｗ（λ）ｄλ　　　　　　　（５）
　ここで、
　Ｗ（λ）：標準白色の分光反射率
　ところで、Ａ／Ｄ変換器１０５−１〜１０５−３は上記ｒｉ，ｇｉ，ｂｉ信号を他の種類のカラー画像データと比べ得る適当なビット数のデジタルデータに変換（規格化）する必要がある。そこで、ｒｉ，ｇｉ，ｂｉ信号をｒｗ，ｇｗ，ｂｗ信号で正規化し、これをＡ／Ｄ変換する。即ち、リーダ部１１６が提供するＲ１，Ｇ１，Ｂ１データは（６）式で与えられる。
　Ｒ１＝ｒｉ／ｒｗ
　Ｇ１＝ｇｉ／ｇｗ
　Ｂ１＝ｂｉ／ｂｗ　　　　　　　　　　　　　　　　　　（６）
　次に接続機器１１７においては、ＮＴＳＣ方式のＹ，Ｉ，Ｑデータを考える。Ｙは輝度データであり、Ｉ及びＱは色彩データである。このＹ，Ｉ，Ｑデータは（７）式に従つて対応するＲ２，Ｇ２，Ｂ２データに変換できる。
　この処理は、具体的には、予め（７）式の３×３の行列係数をメモリ（２）１１０に記憶しておき、色変換回路１０８は（７）式に従つてＹ，Ｉ，ＱデータをＲ２，Ｇ２，Ｂ２データに変換する。
　第３図（Ａ）はＮＴＳＣ方式の理想分光感度特性ＤＲ´（λ），ＤＧ´（λ），ＤＢ´（λ）を示している。周知の如く、ＮＴＳＣ方式では実用蛍光体の色度に合せて純色よりも彩度の低い色を受像３原色と定めている。上記（７）式で変換したＲ２，Ｇ２，Ｂ２データはこのＮＴＳＣ方式のにおけるＲ，Ｇ，Ｂデータである。
　ところで、このＲ２，Ｇ２，Ｂ２データは上記ＮＴＳＣ方式の理想分光感度特性ＤＲ´（λ），ＤＧ´（λ），ＤＢ´（λ）を用いて、かつ上記（４）式と（５）式の表現を借りれば、被写体（例えばカラー原稿ｉ，標準白原稿ｗ）との間で以下の（８）式〜（１０）式の関係が成り立っているものと考えられる。
　Ｒｉ
　＝∫ＤＲ´（λ）・Ｓ（λ）・Ｒ（λ）ｄλ
　Ｇｉ
　＝∫ＤＧ´（λ）・Ｓ（λ）・Ｒ（λ）ｄλ
　Ｂｉ
　＝∫ＤＢ´（λ）・Ｓ（λ）・Ｒ（λ）ｄλ　　　　　　（８）
　Ｒｗ
　＝∫ＤＲ´（λ）・Ｓ（λ）・Ｗ（λ）ｄλ
　Ｇｗ
　＝∫ＤＧ´（λ）・Ｓ（λ）・Ｗ（λ）ｄλ
　Ｂｗ
　＝∫ＤＢ´（λ）・Ｓ（λ）・Ｗ（λ）ｄλ　　　　　　（９）
　Ｒ２＝Ｒｉ／Ｒｗ
　Ｇ２＝Ｇｉ／Ｇｗ
　Ｂ２＝Ｂｉ／Ｂｗ　　　　　　　　　　　　　　　　　（１０）
　従つて、もしこのＲ２，Ｇ２，Ｂ２データとＣＣＤ１０３のＲ１，Ｇ１，Ｂ１データの何れか一方を他方に等しくするように変換をすれば、後段の色処理系１１１〜１１４が一定（同一）でも、常に正しい色を再生できることになる。
　そこで、本実施例では例えばＮＴＳＣ方式を基準と定め、他の種類のカラー画像データをＮＴＳＣ方式のＲＧＢ画像データに変換する。例えばリーダ部１１６のＲ１，Ｇ１，Ｂ１データを（１１）式に従つて線型変換し、ＮＴＳＣ方式に合せたＲ２，Ｇ２，Ｂ２データとする。
　ここで、
　ａｉｊ：色変換係数
　この処理は、具体的には、予め（１１）式の３×３行列色変換係数ａｉｊをメモリ（１）１０９に記憶しておき、色変換回路１０８は（１１）式に従ってＲ１，Ｇ１，Ｂ１データをＲ２，Ｇ２，Ｂ２データに変換する。
　尚、外部のグラフイツクコンピユータ等からカラー画像データを入力するときも、前記同様に考えでＮＴＳＣ方式のＲＧＢデータに合せるように線型変換できる。このためには、メモリ（１）１０９及びメモリ（２）１１０に夫々のカラー画像データの特性に応じた行列係数を用意する。
　１１１は濃度変換回路であり、画像信号源の種類を問わず、輝度のＲ２，Ｇ２，Ｂ２データを濃度のＹ１，Ｍ１，Ｃ１データに変換する。１１２は黒成分抽出回路であって、Ｙ１，Ｍ１，Ｃ１データの内の最小値ｋ１を検出してＹ１，Ｍ１，Ｃ１，ｋ１データを出力する。１１３はマスキング回路であり、Ｙ１，Ｍ１，Ｃ１，ｋ１データの色補正を行う。
　具体的には、（１２）式に従ってマスキング演算を行う。
　その際に、ａ４１〜ａ４３＜０に選ぶと下色除去される。また、ａ４４＞０に選ぶと墨入れされる。そして、ＵＣＲ比率は係数ａ４１〜ａ４４の大きさによって決まる。こうして、従来のマスキング処理と下色除去及び墨入れ処理が１回のマトリクス演算で行える。１１４はガンマ（γ）オフセツト回路であり、（１３）式の演算によりプリンタ１１５の特性に合わせる。
　Ｃ３＝γＣ（Ｃ２−βＣ）
　Ｍ３＝γＭ（Ｍ２−βＭ）
　Ｙ３＝γＹ（Ｙ２−βＹ）
　Ｋ３＝γＫ（Ｋ２−βＫ）　　　　　　　　　　　　　（１３）
　ここで、
　γＣ〜γＫ：ガンマ係数
　βＣ〜βＫ：オフセツト値
　１１５は例えばレーザビームプリンタであり、ガンマ・オフセツトしたＣ３，Ｍ３，Ｙ３，Ｋ３データに従って常に正しい色の画像を記録する。
［他の実施例］
　上述実施例の（１１）式では３×３行列による色変換を示したが、これに限らない。他にもより高次の項を含む変換が考えられる。例えば入力のＲ１，Ｇ１，Ｂ１データの他に２次のＲ２，Ｇ２，Ｂ２データ及びクロスのＲＧ，ＲＢ，ＧＢデータの項を含め、（１２）式のようなマトリクス演算を行うことでＮＴＳＣ方式における理想撮像特性によるＲＧＢ信号により近づいた変換が可能となる。
［発明の効果］
　以上説明したように本発明によれば、第１の色空間によって表現される３原色成分からなるカラー画像信号に基づきカラー画像を形成するか、或は、第２の色空間によって表現されるカラー画像信号に基づきカラー画像を形成するかに応じて、これらのカラー画像信号各々に対応する第１の色変換データ、或は、第２の色変換データを適用して、スキャナ部によって生成されるカラー画像信号、或は、入力手段によって入力されるカラー画像信号を、共通の色変換手段を用いて規格化された３原色成分で表現されるカラー画像信号に変換し、その変換されたカラー画像信号に対してカラー画像形成部の特性に応じた色処理を行い、濃度データをそのカラー画像形成部に出力するので、スキャナ部、外部装置のような種々のデータ発生源からのカラー画像信号を適切に簡単な構成で色処理し、カラー画像を形成することができるカラー複写機を提供できるという効果がある。
　さらに、カラー画像形成部に対しては規格化された３原色成分で表現されるカラー画像信号が出力されるので、複写機を構成するスキャナ部がカラー画像形成部の色特性を考慮したり、或は、カラー画像形成部がスキャナ部の色特性を考慮しなくても良く、色変換手段と色処理手段に対する設定に関し互いに独立に設計することができるという利点もある。
【図面の簡単な説明】
第１図は本発明による実施例のカラー画像処理装置のブロツク構成図、
第２図は従来のカラー画像処理装置のブロツク構成図、
第３図（Ａ）はＮＴＳＣ方式による理想分光感度特性を表わす図、
第３図（Ｂ）はＣＣＤセンサの分光感度分布の一例を表わす図である。
図中、１１６……リーダ部、１０１……光源、１０２……カラー原稿、１０３……ＣＣＤラインセンサ、１０４……サンプルホールド回路、１０５−１〜１０５−３……Ａ／Ｄ変換器、１０６−１〜１０６−３……データセレクタ、１１７……接続機器、１１８……フレームメモリ、１１９……ＶＴＲ、１２０……ＴＶカメラ、１２１……コンピュータ、１２２……コネクタ、１０８……色変換回路、１０９……メモリ（１）、１１０……メモリ（２）、１１１……濃度変換回路、１１２……黒成分抽出回路、１１３……マスキング回路、１１４……γオフセツト回路、１１５……プリンタである。